(57)【要約】      （修正有）【課題】断熱性、防音性、不燃性そして美観や意匠性など種々の性能や特性を向上させることができる縦型ブラインドを提供する。【解決手段】スラット２を木製とするほか、スラット２を２枚の木製部材の間に不燃部材、断熱部材、防音部材の少なくともいずれかを挟んだ積層構造とする。また、スラットの断面形状を平行四辺形とするほか、短尺のスラットパーツを縦に複数連結してスラットを構成する。【選択図】図１
0003208618.tif 000002
【実用新案登録請求の範囲】
【請求項１】
木製のスラットを縦に複数吊下げて成る縦型ブラインド。
【請求項２】
２枚の木製部材の間に不燃部材、断熱部材、防音部材の少なくともいずれかを挟んだ積層構造としたスラットを縦に複数吊下げて成る縦型ブラインド。
【請求項３】
スラットの断面形状を平行四辺形とした請求項１または請求項２のいずれかに記載の縦型ブラインド。
【請求項４】
スラットは短尺のスラットパーツを縦に複数連結して構成したものである請求項１または請求項２のいずれかに記載の縦型ブラインド。
【考案の詳細な説明】
【技術分野】
【０００１】  本考案は、木製のスラットを用いた縦型ブラインドに関するものである。
より詳しくは、主に建築物の窓の内側などに備える縦型ブラインドについて、スラットを木製とすることにより、断熱性、防音性、不燃性そして美観や意匠性など種々の性能や特性を向上させることができる縦型ブラインドの構成に関するものである。
【背景技術】
【０００２】  縦型ブラインドは、比較的大面積の窓や人が出入りするような掃き出し窓などに好まれて多く設置され、主に遮光手段として使用されている。ルーバーあるいは羽根とも称されるスラットは縦方向に吊下げられることから、自重による撓みに対する強度を必要とする横型ブラインドと異なり、布製や樹脂製など薄くて柔らかい素材を用いることができる。また、横型ブラインドのスラットのように、薄くしつつ撓みに対する強度を高めるために湾曲断面とする必要がなく平面とすることができ、この平面を利用して自由度高く様々なデザインを施すことができることも大きな魅力の一つとなっている。更には、一つ一つのスラットの幅寸法は横型ブラインドのスラットに比較して数倍にも広い寸法とすることができ、デザインの自由度が一層高くなると共に、埃やゴミが溜まり難く比較的掃除が楽であることも大きな利点となっている。【０００３】  しかしながら、上述のような布製や樹脂製など薄くて柔らかい素材を用いたスラットにあっては、遮光性は充分でも断熱性や防音性には今一つ欠けるものがあった。即ち、遮光性は充分であるため太陽光による熱の侵入を防ぐことは可能であるが、室内の暖房熱が外へ逃げてしまうことを防ぐ性能は低いものであった。また、音に対しては反射性と吸収性が弱く透過性が強いため防音性も低いものとなっていた。
一方、デザインの自由度が高いことから様々な色や模様などの意匠を凝らしたものが数多く提供されているが、基本的に薄くて柔らかい素材を用いているため重厚感は望めず、風合いとしても布や樹脂の質感に留まるものであった。
【考案の概要】
【考案が解決しようとする課題】
【０００４】  本考案は、上述したような現状に鑑みて成されたものであり、縦型ブラインドの特性を活かして、更に断熱性、防音性、不燃性そして美観や意匠性など種々の性能や特性を向上させることができる縦型ブラインドを提供することを課題とするものである。
【課題を解決するための手段】
【０００５】  上記のような課題を解決するために、本考案の縦型ブラインドはスラットを木製とするものである。また、スラットを２枚の木製部材の間に不燃部材、断熱部材、防音部材の少なくともいずれかを挟んだ積層構造としたものである。そして、スラットの断面形状を平行四辺形とするほか、短尺のスラットパーツを縦に複数連結してスラットを構成するものである。
【考案の効果】
【０００６】  本考案の縦型ブラインドは、このような構成としたことにより断熱性、防音性、不燃性そして美観や意匠性など種々の性能や特性を向上させることができる。
即ち、スラットを木製とすることにより、遮光性はもとより木材の特性として高い断熱性を得ることができる。また、音に対して反射性と透過性が弱く吸収性が強いため高い防音性を得ることができる。そして、厚みのある木材が持つ重厚感や木目の風合いなど木質を活かした質感の高いデザインとすることができる。スラットを２枚の木製部材の間に不燃部材、断熱部材、防音部材などを挟んだ積層構造とした場合には、不燃性を含めて種々の性能を更に高めることができる。
【図面の簡単な説明】
【０００７】
【図１】  本考案の実施例を示す一部断面および一部省略の斜視図である。
【図２】  本考案の他の実施例を示す斜視図である。
【図３】  本考案の別の実施例を示す断面図である。
【図４】  本考案の別の実施例を示す斜視図および分解斜視図である。
【図５】  本考案の別の実施例を示す斜視図および分解斜視図である。
【考案を実施するための最良の形態】
【０００８】
【実施例】
【０００９】  本考案の実施例を以下、図面に基づいて説明する。尚、各図において共通する部分には同一の符号を付し重複する説明は省略する。
図１は本考案の縦型ブラインドの実施例を示す説明図であり、一部断面および一部省略の斜視図である。縦型ブラインド１は厚みのある木製のスラット２を縦に複数吊下げて構成されている。スラット２はビス止めした吊下げ具３により吊下げられており、吊下げ具３はランナあるいはキャリアなどと称される支持具４に回転自在に支持されている。支持具４は一対のローラー５を備えており、窓際の天井部などに取付けた長尺のレール６内をローラー５により水平移動できるようになっている。コード７を正方向あるいは逆方向へ操作することにより支持具４を水平移動させてスラット２を展開状態あるいは収納状態とすることができる。支持具４をスプラインシャフト８が貫通しており、このスプラインシャフト８を回転させることにより支持具４内のギヤ機構（不図示）が作動して吊下げ具３が回転し、スラット２の角度を調節できるようになっている。
尚、図１のような縦型ブラインド１の可動機構は実施例として示す一つの事例であり、他の様々な可動機構や更に電動による自動可動機構なども適宜に使用することができる。【００１０】  図２は本考案の他の実施例を示す斜視図であり、２枚の木製部材９の間に不燃部材１０を挟んだ積層構造としたスラット１１である。不燃部材１０としては石膏ボードやケイ酸カルシウム板などを用いることができ、縦型ブラインドの不燃性を高めることができる。また、石膏ボードやケイ酸カルシウム板などの不燃部材１０は比較的脆い性質のものであるが、このように木製部材９で挟んで積層構造とすることにより、破損や劣化を防ぐことができる。不燃部材１０としての石膏ボードやケイ酸カルシウム板などは断熱性や防音性も併せ持つものであるが、特に断熱性や防音性などを個別に高めるためには専用の材料を２枚の木製部材９の間に挟んだ積層構造とすることが好ましい。更に、木製部材９の表面に不燃性あるいは難燃性の防火塗料などをコーティングすれば防火性が一層向上し好ましいものとなる。尚、吊下げ具１２は積層構造としたスラット１１の木製部材９にビス止めするものとなっている。【００１１】  図３は本考案の別の実施例を示す断面図であり、断面形状を平行四辺形としたスラット１３である。このような断面形状とすることにより、（ａ）に示すようにスラット１３を展開状態で矢印方向に回転させて隣り合うスラット１３同士を平面状に隣接させる場合には、厚みのあるスラット１３同士を干渉せず摩擦なく円滑に回転させて密着状態とすることができる。このため遮光性、断熱性、防音性、耐火性を高めることができる。また、この状態から（ｂ）に示すようにスラット１３を矢印方向に回転させる場合にも、このような断面形状とすることによりスラット１３同士が干渉せず摩擦なく密着状態から離間状態となり、回転を円滑に行なうことができる。【００１２】  図４は本考案の別の実施例を示す斜視図および分解斜視図であり、（ａ）は短尺のスラットパーツ１４を縦に複数連結して構成したスラット１５である。（ｂ）（ｃ）に示すように各スラットパーツ１４には穴１５が設けられており、穴１５にピン１６を挿入して連結されている。スラットパーツ１４同士の間に幾らかの隙間を設けて連結し、この隙間からある程度の光を通過させるデザインとする場合には、（ｂ）に示すようにスペーサ１７を用いると好適である。また、隙間を無くして光を通過させないデザインとする場合には、（ｃ）に示すようにシートパッキン１８を用いると好適である。
このように短尺のスラットパーツ１４を縦に複数連結してスラット１５を構成することにより、木製としたスラットの経年変化による反りを防止することができる。また、連結した境界は目地模様のデザインとすることができる。【００１３】  図５は本考案の別の実施例を示す斜視図および分解斜視図であり、（ａ）は短尺のスラットパーツ１９を縦に複数連結して構成したスラット２０である。（ｂ）に示すように各スラットパーツ１９同士は矢印のように回転可能な１本のピン２１で連結されている。
このような構成とすることにより、（ａ）に示すように各スラットパーツ１９の向きを適宜自在に設定することができ、スラット２０を多様にデザインすることができる。【００１４】  上記の各実施例においては、スラットやスラットパーツの角部は直角、鈍角、鋭角などとしたが、これに限らず面取りや曲面とすることも可能であり、厚みのある木製スラットの重厚感や存在感を更に高めデザイン性を豊かにすることができる。
また、使用する木材も例えばマツ、ブナ、スギ、ヒノキ、カラマツなど多種多様なものがあり、それぞれの板目や柾目などの木目、色や地肌の独特の質感など、種々の風合いを活かしてデザイン性の豊かな縦型ブラインドを構成することができる。そのほか、種々の木質材料や集成材なども使用することができる。
吊下げ具３、吊下げ具１２、ピン１６、ピン２１などは、ある程度の曲げと荷重に耐える柔軟性と強度が必要であり、各種の合成樹脂製とすることが好適である。【００１５】
【産業上の利用可能性】
【００１６】  本考案の縦型ブラインドは以上の説明の如き内容のものであり、断熱性、防音性、不燃性そして美観や意匠性など種々の性能や特性を向上させることができるものである。特に厚みのある木材が持つ重厚感や木目の風合いなど、木質を活かした質感の高いデザインとすることができる。
本考案の縦型ブラインドを収納状態から展開状態として各スラットを平面状に隣接させれば、即時に窓や壁が一面の木製板張り壁となる演出も可能であり、一般住宅のみならず商業施設などにおいても好ましく活用することができる。また、窓ガラスの内側に木質の壁が存在する景観は建築物の外観においても木材の風合いや存在感を呈することができ、建築物自体のデザインとしても好適なものとなる。更に、建築物の外側の火災により窓ガラスが割れた場合には、熱や炎の室内への侵入を遅らせることができ、避難のための時間を稼ぐことができる。尚、このような場合に備えて、火災を感知した場合には自動で展開状態として各スラットを平面状に隣接させる自動可動機構を使用することが好ましい。
【符号の説明】  １                          …  縦型ブラインド
２、１１、１３、１５、２０  …  スラット
９                          …  木製部材
１０                        …  不燃部材
１４、１９                  …  スラットパーツ
【図１】
0003208618.tif 000003
【図２】
0003208618.tif 000004
【図３】
0003208618.tif 000005
【図４】
0003208618.tif 000006
【図５】
0003208618.tif 000007